【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
系統または蓄電池からの電力により動作する複数の電気機器を制御する電力制御コントローラであって、
前記蓄電池と前記複数の電気機器と通信するための通信インターフェイスと、
プロセッサとを備え、
前記プロセッサは、前記系統の停電を示す情報を受信した場合に、
前記複数の電気機器の動作状態に関する情報を取得し、
前記蓄電池の残量が第１の閾値未満であるか否か、前記蓄電池の残量が前記第１の閾値以上かつ前記第１の閾値よりも大きな第２の閾値未満であるか否かを判断し、
前記蓄電池の残量が第１の閾値未満である間、前記複数の電気機器の消費電力が所定の第１の上限値を超えないように、前記通信インターフェイスを介して前記複数の電気機器のうち動作中である電気機器の少なくとも一部の動作を制限する指示をし、
前記蓄電池の残量が前記第１の閾値以上かつ前記第１の閾値よりも大きな第２の閾値未満である間、前記複数の電気機器の消費電力が所定の第２の上限値を超えないように、前記通信インターフェイスを介して前記複数の電気機器のうち動作中である電気機器の少なくとも一部の動作を制限する指示をする、電力制御コントローラ。
【請求項２】
前記複数の電気機器のうち動作中である電気機器の少なくとも一部の動作を制限する指示は、制限の対象となる電気機器の機能の一部を制限する指示である、請求項１に記載の電力制御コントローラ。
【請求項３】
前記第１の上限値に対する前記第２の上限値の割合が、前記第１の閾値に対する前記第２の閾値の割合と同じである、請求項１に記載の電力制御コントローラ。
【請求項４】
前記第１の上限値に対する前記第２の上限値の割合が、前記第１の閾値に対する前記第２の閾値の割合よりも大きい、請求項１に記載の電力制御コントローラ。
【請求項５】
蓄電池と、複数の電気機器と、請求項１〜４のいずれかに記載の電力制御コントローラとを備えた、電力制御システム。
【請求項６】
系統または蓄電池からの電力により動作する複数の電気機器を制御する電力制御方法であって、
前記系統の停電を示す情報を受信した場合に、
前記複数の電気機器の動作状態に関する情報を取得するステップと、
前記蓄電池の残量が第１の閾値未満であるか否か、前記蓄電池の残量が前記第１の閾値以上かつ前記第１の閾値よりも大きな第２の閾値未満であるか否かを判断するステップと、
前記蓄電池の残量が第１の閾値未満である間、前記複数の電気機器の消費電力が所定の第１の上限値を超えないように、前記複数の電気機器のうち動作中である電気機器の少なくとも一部の動作を制限する指示をするステップと、
前記蓄電池の残量が前記第１の閾値以上かつ前記第１の閾値よりも大きな第２の閾値未満である間、前記複数の電気機器の消費電力が所定の第２の上限値を超えないように、前記複数の電気機器のうち動作中である電気機器の少なくとも一部の動作を制限する指示をするステップとを含む、電力制御方法。
【手続補正２】
【補正対象書類名】明細書
【補正対象項目名】発明の名称
【補正方法】変更
【補正の内容】
【発明の名称】電力制御コントローラ、電力制御システム、および電力制御方法
【手続補正３】
【補正対象書類名】明細書
【補正対象項目名】０００８
【補正方法】変更
【補正の内容】
【０００８】
ある実施の形態に従うと、系統または蓄電池からの電力により動作する複数の電気機器を制御する電力制御コントローラが提供される。電力制御コントローラは、蓄電池と複数の電気機器と通信するための通信インターフェイスと、プロセッサとを備える。プロセッサは、系統の停電を示す情報を受信した場合に、複数の電気機器の動作状態に関する情報を取得し、蓄電池の残量が第１の閾値未満であるか否か、蓄電池の残量が第１の閾値以上かつ第１の閾値よりも大きな第２の閾値未満であるか否かを判断し、蓄電池の残量が第１の閾値未満である間、複数の電気機器の消費電力が所定の第１の上限値を超えないように、通信インターフェイスを介して複数の電気機器のうち動作中である電気機器の少なくとも一部の動作を制限する指示をし、蓄電池の残量が第１の閾値以上かつ第１の閾値よりも大きな第２の閾値未満である間、複数の電気機器の消費電力が所定の第２の上限値を超えないように、通信インターフェイスを介して複数の電気機器のうち動作中である電気機器の少なくとも一部の動作を制限する指示をする。
【手続補正４】
【補正対象書類名】明細書
【補正対象項目名】０００９
【補正方法】変更
【補正の内容】
【０００９】
好ましくは、複数の電気機器のうち動作中である電気機器の少なくとも一部の動作を制限する指示は、制限の対象となる電気機器における機能の一部を制限する指示である。
【手続補正５】
【補正対象書類名】明細書
【補正対象項目名】００１０
【補正方法】変更
【補正の内容】
【００１０】
好ましくは、第１の上限値に対する第２の上限値の割合が、第１の閾値に対する第２の閾値の割合と同じである。
【手続補正６】
【補正対象書類名】明細書
【補正対象項目名】００１１
【補正方法】変更
【補正の内容】
【００１１】
好ましくは、第１の上限値に対する第２の上限値の割合が、第１の閾値に対する第２の閾値の割合よりも大きい。
【手続補正７】
【補正対象書類名】明細書
【補正対象項目名】００１２
【補正方法】変更
【補正の内容】
【００１２】
別の実施の形態に従う電力制御システムが提供される。電力制御システムは、蓄電池と、複数の電気機器と、上記のいずれかの電力制御コントローラとを備える。
【手続補正８】
【補正対象書類名】明細書
【補正対象項目名】００１３
【補正方法】変更
【補正の内容】
【００１３】
さらに別の実施の形態に従うと、系統または蓄電池からの電力により動作する複数の電気機器を制御する電力制御方法が提供される。電力制御方法は、系統の停電を示す情報を受信した場合に、複数の電気機器の動作状態に関する情報を取得するステップと、蓄電池の残量が第１の閾値未満であるか否か、蓄電池の残量が第１の閾値以上かつ第１の閾値よりも大きな第２の閾値未満であるか否かを判断するステップと、蓄電池の残量が第１の閾値未満である間、複数の電気機器の消費電力が所定の第１の上限値を超えないように、複数の電気機器のうち動作中である電気機器の少なくとも一部の動作を制限する指示をするステップと、蓄電池の残量が第１の閾値以上かつ第１の閾値よりも大きな第２の閾値未満である間、複数の電気機器の消費電力が所定の第２の上限値を超えないように、複数の電気機器のうち動作中である電気機器の少なくとも一部の動作を制限する指示をするステップとを含む。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】